(57)【要約】【課題】本発明は家具模型の配置が容易にできるとともに、移動しながらフロアープランを考えても、家具模型の紛失を効率よく阻止することができるフロアープラン用模型を得るにある。また、本発明は家具模型の収納保管が容易で、紛失しても発見しやすいフロアープラン用模型を得るにある。【解決手段】発泡板やボード等を用いたフロアー模型形成板と、このフロアー模型形成板に切り抜き形成された室内空間と、この室内空間部分が凹部となるように、前記フロアー模型形成板の底面に固定されたベース板とでフロアープラン用模型を構成している。【選択図】  図２
2004151150.tif 000002
【特許請求の範囲】
【請求項１】
発泡板やボード等を用いたフロアー模型形成板と、このフロアー模型形成板に切り抜き形成された室内空間と、この室内空間部分が凹部となるように、前記フロアー模型形成板の底面に固定されたベース板とからなることを特徴とするフロアープラン用模型。
【請求項２】
発泡板やボード等を用いたフロアー模型形成板と、このフロアー模型形成板に切り抜き形成された室内空間と、この室内空間を形成する壁部分となる前記フロアー模型形成板部位にプリントされた壁表示と、前記室内空間部分が凹部となるように、前記フロアー模型形成板の底面に固定されたベース板と、このベース板の前記室内空間部分に床面を表示するようにプリントされた床面表示とからなることを特徴とするフロアープラン用模型。
【請求項３】
発泡板やボード等を用いたフロアー模型形成板と、このフロアー模型形成板に切り抜き形成された室内空間と、この室内空間部分が凹部となるように、前記フロアー模型形成板の底面に固定されたベース板と、発泡板やボード等を用いた家具模型形成板と、この家具模型形成板に切り抜き形成された多数個の異なる家具模型と、この多数個の異なる家具模型部分を除く、前記家具模型形成板の底面に固定された、該家具模型形成板の底面を覆うベース板とからなることを特徴とするフロアープラン用模型。
【請求項４】
発泡板やボード等を用いたフロアー模型形成板と、このフロアー模型形成板に切り抜き形成された室内空間と、この室内空間を形成する壁部分となる前記フロアー模型形成板部位にプリントされた壁表示と、前記室内空間部分が凹部となるように、前記フロアー模型形成板の底面に固定されたベース板と、このベース板の前記室内空間部分に床面を表示するようにプリントされた床面表示と、発泡板やボード等を用いた家具模型形成板と、この家具模型形成板に切り抜き形成された多数個の異なる家具模型と、この多数個の異なる家具模型および該家具模型の周囲の前記家具模型形成板にプリントされた家具形状や家具名および寸法と、前記多数個の異なる家具模型部分を除く、前記家具模型形成板の底面に固定された、該家具模型形成板の底面を覆うベース板とからなることを特徴とするフロアープラン用模型。
【請求項５】
発泡板やボード等を用いた家具模型形成板と、この家具模型形成板に切り抜き形成された多数個の異なる家具模型と、この多数個の異なる家具模型部分を除く、前記家具模型形成板の底面に固定された、該家具模型形成板の底面を覆うベース板とからなることを特徴とするフロアープラン用模型。
【請求項６】
発泡板やボード等を用いた家具模型形成板と、この家具模型形成板に切り抜き形成された多数個の異なる家具模型と、この多数個の異なる家具模型および該家具模型の周囲の前記家具模型形成板にプリントされた家具形状や家具名および寸法と、前記多数個の異なる家具模型部分を除く、前記家具模型形成板の底面に固定された、該家具模型形成板の底面を覆うベース板とからなることを特徴とするフロアープラン用模型。
【発明の詳細な説明】
【０００１】
【発明の属する技術分野】
本発明はマンションや分譲住宅等の販売に主に使用されるフロアープラン用模型に関する。
【０００２】
【従来の技術】
従来、マンションや分譲住宅等の購入時のフロアープランは、間取りが記載された図面上に厚紙で、該図面と同一縮尺に形成された家具模型を用いて行なっている。
【０００３】
【発明が解決しようとする課題】
従来の方法では厚紙で形成した家具模型を図面上に配置して考えるため、実際の間取りを見ながら家具模型を配置してフロアープランを考える等の、移動を伴う場合には家具模型を紛失しやすく、かつ厚紙で形成されているため紛失した場合、発見しづらいという欠点があった。
【０００４】
本発明は以上のような従来の欠点に鑑み、家具模型の配置が容易にできるとともに、移動しながらフロアープランを考えても、家具模型の紛失を効率よく阻止することができるフロアープラン用模型を提供することを目的としている。
また、本発明は家具模型の収納保管が容易で、紛失しても発見しやすいフロアープラン用模型を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するため手段】
上記目的を達成するために、本発明は発泡板やボード等を用いたフロアー模型形成板と、このフロアー模型形成板に切り抜き形成された室内空間と、この室内空間部分が凹部となるように、前記フロアー模型形成板の底面に固定されたベース板とでフロアープラン用模型を構成している。
【０００７】
また、本発明は発泡板やボード等を用いたフロアー模型形成板と、このフロアー模型形成板に切り抜き形成された室内空間と、この室内空間部分が凹部となるように、前記フロアー模型形成板の底面に固定されたベース板と、発泡板やボード等を用いた家具模型形成板と、この家具模型形成板に切り抜き形成された多数個の異なる家具模型と、この多数個の異なる家具模型部分を除く、前記家具模型形成板の底面に固定された、該家具模型形成板の底面を覆うベース板とでフロアープラン用模型を構成している。
【０００８】
さらに、本発明は発泡板やボード等を用いた家具模型形成板と、この家具模型形成板に切り抜き形成された多数個の異なる家具模型と、この多数個の異なる家具模型部分を除く、前記家具模型形成板の底面に固定された、該家具模型形成板の底面を覆うベース板とでフロアープラン用模型を構成している。
【０００９】
【発明の実施の形態】
以下、図面に示す実施の形態により、本発明を詳細に説明する。
【００１０】
図１ないし図６に示す本発明の第１の実施の形態において、１は間取りのフロアープラン用模型で、この間取りのフロアープラン用模型１は、例えば約７ｍｍ厚さの発泡板やボード等、本発明の実施の形態では発泡板を用いたフロアー模型形成板２と、このフロアー模型形成板２に切り抜き形成された、例えば販売するマンションや分譲住宅等の縮尺した室内空間３と、この室内空間３部分が底面を有する凹部４となるように、前記フロアー模型形成板２の底面に接着剤等によって固定されたベース板５と、前記室内空間３を形成する壁部分となる、前記フロアー模型形成板２部位にプリントされた壁表示６と、前記ベース板５の前記室内空間３部分に床面を表示するように直接プリントあるいは用紙にプリントされたものを貼付けて形成された床面表示７とで構成されている。
【００１１】
８は前記間取りフロアープラン用模型１の室内空間３に配置される家具フロアープラン用模型で、この家具フロアープラン用模型８は、例えば約７ｍｍ厚さの発泡板やボード等、本発明の実施の形態では発泡板を用いた家具模型形成板９と、この家具模型形成板９に切り抜き形成された、前記室内空間３の縮尺と同一縮尺の多数個の異なる家具模型１０と、この多数個の異なる家具模型１０部分を除く前記家具模型形成板９の底面に接着剤等で固定された、該家具模型形成板９の底面を覆うベース板１１と、前記多数個の異なる家具模型１０および該家具模型１０の周囲の前記家具模型形成板９にプリントされた家具の形状ライン１２や家具名１３および寸法表示１４とで構成されている。
【００１２】
上記構成の間取りフロアープラン用模型１は従来の厚紙で形成された家具模型を使用してフロアープランを考えても、室内空間３が凹部４になっているため、簡単に室内空間３部分より移動して脱落したり、紛失したりすることがない。
また、前記家具フロアープラン用模型８を用いることにより、家具模型１０がベース板１１で底面が覆われた家具模型形成板９より、該家具模型１０の周囲の家具模型形成板９を押し圧して容易に取り出して室内空間３に配置したり、家具模型形成板９の元の位置へ戻したりしてフロアープランを考えることができ、家具模型１０の紛失等も立体的な家具模型１０であるため発見しやすいとともに、家具模型形成板９が空間になっていることにより、容易に紛失状態を知ることができる。
【００１３】
【発明の異なる実施の形態】
次に、図７ないし図１５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図７ないし図９に示す本発明の第２の実施の形態において、前記本発明の第１の実施の形態と主に異なる点は、間取りフロアープラン用模型１と家具フロアープラン用模型８を１枚の模型形成板２Ａ、ベース板５Ａを用いて形成した点で、このように構成したフロアープラン用模型１５にしても、前記本発明の第１の実施の形態と同様な作用効果が得られる。
【００１５】
図１０ないし図１２に示す本発明の第３の実施の形態において、前記本発明の第１の実施の形態と主に異なる点は、床面表示のない間取りフロアープラン用模型１Ａにした点で、このような間取りフロアープラン用模型１Ａにしても、前記本発明の第１の実施の形態と同様な作用効果が得られるとともに、床面を和室や洋室等のプランに使用することができる。
なお、本発明の実施の形態では壁表示のないものを用いてもよい。
【００１６】
図１３ないし図１５に示す本発明の第４の実施の形態において、前記本発明の第１の実施の形態と主に異なる点は、多数個の家具模型１０の底面に着脱可能な粘着剤１６を塗布するとともに、合成樹脂材製のベース板１１Ａを用いて家具フロアープラン用模型８Ａを形成した点で、このように形成された家具フロアープラン用模型８Ａは、家具模型１０は間取りフロアープラン用模型１の室内空間３部分に着脱可能に粘着でき、正確に室内空間８に家具模型１０を配置してプランを考えることができる。
【００１７】
【発明の効果】
以上の説明から明らかなように、本発明にあっては次に列挙する効果が得られる。
【００１８】
（１）発泡板やボード等を用いたフロアー模型形成板と、このフロアー模型形成板に切り抜き形成された室内空間と、この室内空間部分が凹部となるように、前記フロアー模型形成板の底面に固定されたベース板とで構成されているので、室内空間が凹部にできる。
したがって、室内に配置する家具模型を入れても、外部に移動するのを効率よく阻止でき、家具模型の紛失を効率よく阻止することができる。
【００１９】
（２）前記（１）によって、家具模型を凹部に形成された室内空間に入れて移動して、フロアープランを考えることができる。
したがって、移動場所で簡単に家具の配置を考えることができる。
【００２０】
（３）請求項２も前記（１）、（２）と同様な効果が得られるとともに、壁表示や底面表示でより確実なフロアープランを考えることができる。
【００２１】
（４）請求項３は前記（１）、（２）と同様な効果が得られるとともに、立体的な家具模型でフロアープランを考えることができる。
また、家具模型は家具模型形成板に収納されているため、紛失等も容易に確認できるとともに、立体的な家具模型となるため、紛失時にも容易に探すことができる。
【００２２】
（５）請求項４も前記（１）〜（４）と同様な効果が得られる。
【００２３】
（６）請求項５、６も前記（４）と同様な効果が得られる。
【図面の簡単な説明】
【図１】本発明の間取りフロアープラン用模型の第１の実施の形態の平面図。
【図２】図１の２−２線に沿う断面図。
【図３】本発明の家具フロアープラン用模型の第１の実施の形態の平面図。
【図４】図３の４−４線に沿う断面図。
【図５】家具フロアープラン用模型より家具模型を取り外した状態の平面図。
【図６】本発明の家具の第１の実施の形態の使用状態の説明図。
【図７】本発明の第２の実施の形態の平面図。
【図８】本発明の第２の実施の形態の底面図。
【図９】図７の９−９線に沿う断面図。
【図１０】本発明の間取りフロアープラン用模型の第３の実施の形態の平面図。
【図１１】図１０の１１−１１線に沿う断面図。
【図１２】本発明の第３の実施の形態の家具フロアープラン用模型の平面図。
【図１３】本発明の第４の実施の形態の間取りフロアープラン用模型の平面図。
【図１４】本発明の第４の実施の形態の家具フロアープラン用模型の平面図。
【図１５】図１４の１５−１５線に沿う断面図。
【符号の説明】
１、１Ａ：間取りフロアープラン用模型、
２：フロアー模型形成板、３：室内空間、
４：凹部、              ５：ベース板、
６：壁表示、            ７：床面表示、
８、８Ａ：家具フロアープラン用模型、
９：家具模型形成板、    １０：家具模型、
１１、１１Ａ：ベース板、１２：家具の形状ライン、
１３：家具名、          １４：寸法表示、
１５：フロアープラン用模型、
１６：粘着剤。
【図１】
2004151150.tif 000003
【図２】
2004151150.tif 000004
【図３】
2004151150.tif 000005
【図４】
2004151150.tif 000006
【図５】
2004151150.tif 000007
【図６】
2004151150.tif 000008
【図７】
2004151150.tif 000009
【図８】
2004151150.tif 000010
【図９】
2004151150.tif 000011
【図１０】
2004151150.tif 000012
【図１１】
2004151150.tif 000013
【図１２】
2004151150.tif 000014
【図１３】
2004151150.tif 000015
【図１４】
2004151150.tif 000016
【図１５】
2004151150.tif 000017